(57)【要約】【課題】トーチ角度を変更しても狭開先内でワークとの接触を防止でき、且つ安定したシールドガス雰囲気を維持して溶接することができる狭開先用溶接トーチ、狭開先溶接方法及び狭開先溶接システムを提供する。【解決手段】トーチ銃身１１と、該トーチ銃身１１に取り付けられて溶接部に向けてシールドガスを噴出するノズル１５と、送給される溶接ワイヤ３０を案内するコンタクトチップ１４と、を備える。ノズル１５は、インナーノズル１６と、インナーノズル１６の外周側に配設されるアウターノズル１７と、を有する２重構造ノズルであり、コンタクトチップ１４は、インナーノズル１６の先端より１０ｍｍ以上突出している。【選択図】図２
2018086671.tif 000002
【特許請求の範囲】
【請求項１】
狭開先の溶接部のアーク溶接に用いられる狭開先用溶接トーチであって、
トーチ銃身と、
該トーチ銃身に取り付けられ、前記溶接部に向けてシールドガスを噴出するノズルと、
送給される溶接ワイヤを案内するコンタクトチップと、を備え、
前記ノズルは、インナーノズルと、前記インナーノズルの外周側に配設されるアウターノズルと、を有する２重構造ノズルであり、
前記コンタクトチップは、前記ノズルの先端より１０ｍｍ以上突出することを特徴とする狭開先用溶接トーチ。
【請求項２】
前記アウターノズルの噴出口には、スパッタ付着防止用のフィルタが設けられることを特徴とする請求項１に記載の狭開先用溶接トーチ。
【請求項３】
前記フィルタは、多孔質金属で形成されることを特徴とする請求項２に記載の狭開先用溶接トーチ。
【請求項４】
前記インナーノズルの内径（ｄ）と、前記アウターノズルの内径（Ｄ）との比ｄ／Ｄは、
０．３０〜０．７５であることを特徴とする請求項１に記載の狭開先用溶接トーチ。
【請求項５】
請求項１〜請求項４のいずれか１項に記載の狭開先用溶接トーチを用いて、狭開先の溶接部をアーク溶接する狭開先溶接方法であって、
溶接時には、前記インナーノズルから１０〜３５Ｌ/ｍｉｎの前記シールドガスを供給すると共に、前記アウターノズルから１０〜６５Ｌ/ｍｉｎの前記シールドガスを供給することを特徴とする狭開先溶接方法。
【請求項６】
前記インナーノズルからの供給量と前記アウターノズルからの供給量の比（前記インナーノズルからの供給量／前記アウターノズルからの供給量）が０．２〜３．０であることを特徴とする狭開先溶接方法。
【請求項７】
請求項１〜４のいずれか１項に記載の狭開先用溶接トーチを搭載したことを特徴とする狭開先溶接システム。
【発明の詳細な説明】
【技術分野】
【０００１】
本発明は、狭開先用溶接トーチ、狭開先溶接方法及び狭開先溶接システムに関し、より詳細には、開先に干渉することなく、安定して狭開先の溶接部を溶接することができる狭開先用溶接トーチ、狭開先溶接方法及び狭開先溶接システムに関する。
【背景技術】
【０００２】
狭開先溶接は、溶接能率の向上、溶接材料の低減等の長所を有する反面、開先角度が狭くなることに起因する溶接トーチとワークとの干渉やシールドガス不良から発生する溶接作業性の劣化や溶接欠陥の発生等の短所がある。
【０００３】
このような問題を解決するため、特許文献１には、シールドガスを放出させるためのシールドガスカップを狭開先の所要位置まで挿入可能とすると共に、シールドガスを電極ワイヤの近傍に集中して放出させ、安定したシールド雰囲気を形成して狭開先溶接を行う溶接トーチが開示されている。具体的に、特許文献１の溶接トーチは、シールドガスカップの内側面の幅寸法を、コンタクトチップの外径より若干大きい扁平形状とし、該シールドガスカップ中心位置にコンタクトチップを有するトーチ本体を通すようにする。また、シールドガスカップ内の長手方向両端部に、該シールドガスカップの内側面の幅寸法より狭幅とした整流ピースを相対向させて取り付けて、シールドガスを該両整流ピースにより層流化し電極ワイヤの近傍に集中して流すようにしている。
【０００４】
また、特許文献２では、溶接ワイヤが挿設されるトーチ本体の両側に一対のメインガス通路と補助ガスノズル通路を設け、後側メインガス通路より後方のトーチ本体先端面を切り欠いて溶接面より後退させると共に、トーチ本体内部に冷却水が循環する冷却部を設けた狭開先溶接トーチが開示されている。これにより、溶接部のシールド性を確保して溶接性を向上させ、且つトーチ本体を冷却してトーチ本体及びトーチ本体の先端に設けられるチップ等を保護している。
【先行技術文献】
【特許文献】
【０００５】
【特許文献１】特開２００１−１７９４５６号公報
【特許文献２】特開２０１０−２３４４０９号公報
【発明の概要】
【発明が解決しようとする課題】
【０００６】
しかしながら、特許文献１、２は、溶接トーチを狭開先に挿入可能するためにトーチ形状が幅広の長方形であり、トーチ角度を変えると溶接トーチがワークに干渉する可能性が高い。また、複数電極を用いる場合、トーチ角度を調整する必要があり、電極の極間距離の調整が非常に困難となる。
【０００７】
本発明は、前述した課題に鑑みてなされたものであり、その目的は、トーチ角度を変更しても狭開先内でワークとの接触を防止でき、且つ安定したシールドガス雰囲気を維持して溶接することができる狭開先用溶接トーチ、狭開先溶接方法及び狭開先溶接システムを提供することにある。
【課題を解決するための手段】
【０００８】
本発明の上記目的は、下記の構成により達成される。
（１）  狭開先の溶接部のアーク溶接に用いられる狭開先用溶接トーチであって、
トーチ銃身と、
該トーチ銃身に取り付けられ、前記溶接部に向けてシールドガスを噴出するノズルと、
送給される溶接ワイヤを案内するコンタクトチップと、を備え、
前記ノズルは、インナーノズルと、前記インナーノズルの外周側に配設されるアウターノズルと、を有する２重構造ノズルであり、
前記コンタクトチップは、前記ノズルの先端より１０ｍｍ以上突出することを特徴とする狭開先用溶接トーチ。
（２）  前記アウターノズルの噴出口には、スパッタ付着防止用のフィルタが設けられることを特徴とする（１）に記載の狭開先用溶接トーチ。
（３）  前記フィルタは、多孔質金属で形成されることを特徴とする（２）に記載の狭開先用溶接トーチ。
（４）  前記インナーノズルの内径（ｄ）と、前記アウターノズルの内径（D）との比ｄ／Ｄは、０．３０〜０．７５であることを特徴とする（１）に記載の狭開先用溶接トーチ。
（５）  （１）〜（４）のいずれかに記載の狭開先用溶接トーチを用いて、狭開先の溶接部をアーク溶接する狭開先溶接方法であって、
溶接時には、前記インナーノズルから１０〜３５Ｌ／ｍｉｎの前記シールドガスを供給すると共に、前記アウターノズルから１０〜６５Ｌ／ｍｉｎの前記シールドガスを供給することを特徴とする狭開先溶接方法。
（６）  前記インナーノズルからの供給量と前記アウターノズルからの供給量の比（前記インナーノズルからの供給量／前記アウターノズルからの供給量）が０．２〜３．０であることを特徴とする狭開先溶接方法。
（７）  （１）〜（４）のいずれかに記載の狭開先用溶接トーチを搭載したことを特徴とする狭開先溶接システム。
なお、本明細書において、狭開先とは、開先の平均幅が板厚の１／２より小さい開先とする。
【発明の効果】
【０００９】
本発明の狭開先用溶接トーチによれば、トーチ銃身と、インナーノズル及びアウターノズルを有し溶接部に向けてシールドガスを噴出する２重構造のノズルと、溶接ワイヤを案内するコンタクトチップと、を備え、コンタクトチップは、ノズルの先端より１０ｍｍ以上突出している。これにより、コンタクトチップの突出し部が狭開先の底部まで入り込むと共に、２重構造のノズルから噴出されるシールドガスによって狭開先内を安定してガスシールドするので、シールド性を確保しながら狭開先の溶接部を溶接することができ、良好な溶接品質を確保することができる。また、トーチ角度を変えたとしても、溶接トーチとワークとの干渉を回避することが可能となる。さらに、複数電極の場合においては、極間距離やトーチ姿勢の調整が容易となる。
【図面の簡単な説明】
【００１０】
【図１】本発明に係る狭開先用溶接トーチを備える狭開先溶接システムの構成図である。
【図２】図１に示す狭開先用溶接トーチの断面図である。
【図３】スパッタ付着防止用フィルタが装着される狭開先用溶接トーチの先端の斜視図である。
【発明を実施するための形態】
【００１１】
以下、本発明の一実施形態に係る狭開先用溶接トーチ、狭開先溶接方法及び狭開先溶接システムについて、詳細に説明する。
【００１２】
まず、本発明に係る狭開先用溶接トーチが適用される溶接システムについて説明する。溶接システムとしては、アーク溶接を行う構成であれば、特に限定されず、従来のガスシールドアーク溶接に用いられている溶接システムを用いることができる。
【００１３】
図１に示すように、溶接システムを構成する溶接装置１００は、アームの先端５１に取り付けられた狭開先用溶接トーチ（以下、単に溶接トーチとも言う）１０を、狭開先形状を持つ被溶接材Ｗの溶接線に沿って移動させるロボット５０と、溶接トーチ１０に消耗電極である溶接ワイヤ３０を供給するワイヤ供給部（図示しない）と、ワイヤ供給部を介して溶接ワイヤ３０に溶接電流を供給して溶接ワイヤ３０と被溶接材Ｗとの間でアークを発生させる溶接電源部６０を備える。また、溶接装置１００は、溶接トーチ１０を移動させるためのロボット５０の動作を制御するロボット制御部５２を備え、ロボット制御部５２には、手元操作装置５３が接続されている。そして、ロボット５０は、離れた場所から制御されて、溶接トーチ１０が作業者の代わりに溶接作業を行う。
【００１４】
図２及び図３に示すように、狭開先用溶接トーチ１０は、トーチ銃身１１と、チップボディ１２と、チップアダプタ１３と、コンタクトチップ１４と、インナーノズル１６及びアウターノズル１７を有する２重構造のノズル１５と、を主に備える。
【００１５】
トーチ銃身１１は、トーチクランプ（図示せず）に支持されると共に、チップボディ１２及びノズル１５を支持する。トーチ銃身１１内には、溶接ワイヤ３０をガイドするインナチューブ（図示せず）が先端方向に突出しており、インナチューブは、トーチ銃身１１と螺合するチップボディ１２内まで挿入されている。トーチ銃身１１の周囲には、ノズル１５と被溶接材Ｗとの接触を検知するための微弱な電流をノズル１５に流すための通電金具１８が装着されている。
【００１６】
チップボディ１２は、トーチ銃身１１内部に設けられた、通電性を有する筒状の部材であり、チップアダプタ１３を介してコンタクトチップ１４を着脱自在に保持する。したがって、チップボディ１２は、溶接電源部６０から供給される溶接電流を、コンタクトチップ１４を介して溶接ワイヤ３０に供給する。また、チップボディ１２には、径方向に貫通する貫通孔２２が設けられた円環状のオリフィス２１が装着され、図示しないガス供給装置から供給されたシールドガスをインナーノズル１６に供給する。
【００１７】
チップアダプタ１３は、トーチ銃身１１内部に設けられた筒状の部材であり、その先端にコンタクトチップ１４を着脱自在に保持する。コンタクトチップ１４の突き出し長さは、チップアダプタ１３を変更することにより任意の長さに調節可能である。
【００１８】
コンタクトチップ１４は、その軸中心に溶接ワイヤ３０を案内するワイヤ送給孔（図示せず）を備えており、インナーノズル１６の先端より所定の距離Ｌだけ突出して配設されている。インナーノズル１６からのコンタクトチップ１４の突出距離Ｌは、１０ｍｍ以上に設定され、３０〜７０ｍｍが好ましい。
【００１９】
これは、コンタクトチップ１４の突出距離Ｌが１０ｍｍ未満だと、溶接トーチ１０と狭開先の被溶接材Ｗとの干渉が発生する虞があるためである。なお、コンタクトチップ１４の突出距離Ｌを３０ｍｍ以上とすることで、該干渉の発生をより抑制できる。また、コンタクトチップ１４の突出距離Ｌが７０ｍｍを超えるとシールドガスが先端まで届かなくなる可能性があり、７０ｍｍ以下が好ましい。コンタクトチップ１４の材質は、特に限定されないが、ＣｕやＡｇなどの導電性の良い金属またはそれを基にした合金が好ましい。コンタクトチップ１４は、チップアダプタ１３に着脱自在に取り付けられており、長期間の使用で消耗した場合や開先角度などに合わせて交換することができる。
【００２０】
ノズル１５は、トーチ銃身１１に取り付けられ、チップアダプタ１３の外周側に配置される筒状のインナーノズル１６と、インナーノズル１６のさらに外周側に配置される筒状のアウターノズル１７と、から構成された２重構造ノズルである。インナーノズル１６は、図示しないガス供給装置から供給されたシールドガスを、インナチューブとチップボディ１２との間に形成される空間を通過させ、チップボディ１２に形成された貫通孔を介して、オリフィス２１に形成された貫通孔２２によって該シールドガスを整流して、溶接部に噴出する。また、アウターノズル１７は、アウターノズル１７に接続された供給パイプ２３を介して外部から供給されたシールドガスを、溶接部に噴出する。即ち、インナーノズル１６及びアウターノズル１７は、それぞれ独立したガス流路を備え、流量が独立して制御可能である。
【００２１】
インナーノズル１６及びアウターノズル１７に供給されるシールドガスとしては、アルゴン（Ａｒ）や炭酸ガス（ＣＯ２）等が用いられる。なお、インナーノズル１６及びアウターノズル１７から供給するシールドガスは、同じ種類のシールドガスであっても、異なる種類のシールドガスであってよい。
【００２２】
インナーノズル１６は、その先端がアウターノズル１７の先端より所定の寸法ａだけ突出している。これにより、インナーノズル１６から噴出するシールドガスの指向性を高め、コンタクトチップ１４の突き出し長さＬが長い場合でも、溶接ワイヤ３０の先端まで確実にシールドガスを届けて溶接部をガスシールドする。この寸法ａの値は特に問わないが、１ｍｍ以上であるとよりシールドガスの指向性を高めることができ、１０ｍｍ以内であると、より狭開先内でのワーク干渉を抑制することができるため、１〜１０ｍｍの範囲内とすることが好ましい。また、アウターノズル１７は、外部からの空気の巻き込みを抑制してシールド環境を良好に維持し、溶接性を向上させる。
【００２３】
また、インナーノズル１６の内径ｄは１５〜３０ｍｍが好ましく、アウターノズル１７の内径Ｄは３０〜６０ｍｍが好ましい。また、インナーノズル１６の内径ｄと、アウターノズル１７の内径Ｄとの比ｄ/Ｄとしては、０．３０〜０．７５の範囲に設定されていることが好ましい。これにより、インナーノズル１６及びアウターノズル１７から噴出するシールドガスの流量比や流速を最適に制御することができる。
【００２４】
例えば、溶接時において、インナーノズル１６からは、１０〜３５Ｌ/ｍｉｎのシールドガスが供給され、アウターノズル１７からは、１０〜６５Ｌ/ｍｉｎのシールドガスが供給される。また、流量比（＝インナーガスの流量／アウターガスの流量）としては、０．２〜３．０の範囲で設定される。
また、インナーノズル１６及びアウターノズル１７からのガス流速を略同じ速度にしたり、インナーノズル１６のガス流速をアウターノズル１７のガス流速より速くすることができる。
【００２５】
また、アウターノズル１７の前方には、スパッタ付着防止用フィルタ２５が配設されている。フィルタ２５は、好ましくは、多孔質金属で形成された略円環板状部材であり、その外周面から一対の爪部２６が外方に突出形成され、さらに、インナーノズル１６の先端部の外周面に形成された傾斜面１６ａと嵌合するテーパ面２５ａを有する。一対の爪部２６は、アウターノズル１７の先端に形成された一対のコの字型溝２７に前方から押し込まれてアウターノズル１７の噴出口を覆うように着脱自在に装着されている。フィルタ２５の装着によりアウターノズル１７へのスパッタの付着を防止してシールド性が向上する。フィルタ２５の材質は、特に限定されないが、スパッタが付着し難いことから、例えば、ニッケル製とするのが好ましい。
【００２６】
フィルタ２５をアウターノズル１７の前方にのみ配置したのは、インナーノズル１６に付着したスパッタは、従来公知のクリーナで容易に除去可能であるのに対し、アウターノズル１７は、自動でのスパッタ除去が困難であり、アウターノズル１７のスパッタ除去作業の軽減を図るためである。
【００２７】
そして、狭開先の溶接時は、溶接トーチ１０の先端を狭開先に挿入し、ワイヤ供給部から供給される溶接ワイヤ３０をコンタクトチップ１４を介して送給すると共に、インナーノズル１６から１０〜３５Ｌ／ｍｉｎの流量のシールドガスを、アウターノズル１７から１０〜６５Ｌ／ｍｉｎの流量のシールドガスを独立して噴出させて溶接部をシールドガスでガスシールドする。そして、溶接ワイヤ３０に溶接電流を供給して、被溶接材Ｗとの間でアークを発生させて溶接する。これにより、溶接部を大気から遮断し、安定した溶接を可能とする。
【００２８】
以上説明したように、本実施形態の狭開先用溶接トーチ１０によれば、トーチ銃身１１と、該トーチ銃身１１に取り付けられて溶接部に向けてシールドガスを噴出するノズル１５と、送給される溶接ワイヤ３０を案内するコンタクトチップ１４と、を備える。ノズル１５は、インナーノズル１６と、インナーノズル１６の外周側に配設されるアウターノズル１７と、を有する２重構造ノズルであり、コンタクトチップ１４がインナーノズル１６の先端より１０ｍｍ以上突出している。これにより、コンタクトチップ１４の突き出し長さＬを長くして、コンタクトチップ１４の突出し部が狭開先の底部まで入り込むと共に、二重構造のノズル１５から噴出されるシールドガスによって狭開先内を安定してガスシールドするので、シールド性を確保しつつ狭開先の溶接部を溶接することができ、良好な溶接品質を確保することができる。また、トーチ角度を変えたとしても、溶接トーチ１０と被溶接材Ｗとの干渉を回避することが可能となる。さらに、複数電極の場合においては、極間距離やトーチ姿勢の調整が容易となる。
【００２９】
尚、本発明は、前述した実施形態に限定されるものではなく、適宜、変形、改良、等が可能である。
【実施例】
【００３０】
本発明の有効性を立証するため、開先角度２５°、ルートギャップ３ｍｍのレ型開先を形成する板厚４０ｍｍの鋼板を、溶接電流３００Ａ、溶接電圧３２Ｖ、溶接速度３０ｃｍ／ｍｉｎの溶接条件に固定し、コンタクトチップの突き出し長さ（Ｌ）、インナーノズルの内径（ｄ）、アウターノズルの内径（Ｄ）、インナーノズルの内径とアウターノズルの内径との比（ｄ／Ｄ）、フィルタの有無及びフィルタ材質、シールドガスの種類及び流量などを変更した各種溶接条件において、溶接試験を行った。なお、寸法ａは５．５ｍｍで固定している。
また、使用されるフィルタとしては、多孔質金属の他、ステンレスフィルタ（１００メッシュ、目開き：約０．１５ｍｍ）、多孔質プラスチック、多孔質セラミックのものを用意した。
【００３１】
溶接品質は、目視によりシールド性、ノズル内のスパッタ付着、溶接トーチの母材との干渉について外観検査して評価した。
【００３２】
シールド性については、正常なものは○、アーク不安定が若干発生（全溶接線のアーク不安定期間３０％未満）したものは△（合格）、全溶接線の３０％以上でアーク不安定、またはブローホール、ピット等の溶接欠陥が発生したものは×とした。ノズル内のスパッタ付着については、スパッタによるノズル噴出部の遮蔽が３０％未満の場合は〇（良好）、３０〜６０％の場合は△（合格）、６０％を超えて遮られた場合は×とした。母材との干渉については、溶接中母材との干渉が無ければ○、母材との干渉が発生すれば×とした。試験結果を、各種溶接条件と共に表１に示す。
【００３３】
【表１】
2018086671.tif 000003
【００３４】
表１に示すように、コンタクトチップの突き出し長さＬが、本発明で規定する１０ｍｍ以上である各試験Ｎｏ．１〜Ｎｏ．３４では、インナーノズルの内径、アウターノズルの内径、インナーノズルの内径とアウターノズルの内径との比、フィルタの有無及び材質、シールドガスの種類、インナーノズル及びアウターノズルの流量、インナーノズルとアウターノズルとの流量比、を変更した各溶接条件においても、シールド性、ノズル内のスパッタ付着、溶接トーチの母材との干渉が合格レベルを満たした。
【００３５】
一方、従来の二重ノズルの溶接トーチを用いた試験Ｎｏ．３５、Ｎｏ．３６や、試験Ｎｏ．１４に対してコンタクトチップの突き出し長さを８ｍｍに変更した試験Ｎｏ．３７では、コンタクトチップの突き出し長さが本発明で規定する範囲外（１０ｍｍ未満）となるため、いずれも溶接トーチの母材との干渉が合格レベルに達しなかった。また、試験Ｎｏ．３５〜Ｎｏ．３７は、いずれもフィルタなしであり、ノズル内のスパッタ付着についても合格レベルに達しなかった。さらに、シールドガスの噴出がインナーシールドガスのみであった試験Ｎｏ．３５では、シールド性も合格レベルに達しなかった。
また、コンタクトチップの突き出し長さは本発明の規定を満足するが、シールドガスの噴出がインナーシールドガスのみであった試験Ｎｏ．３８でも、シールド性が合格レベルに達しなかった。
【００３６】
また、コンタクトチップの突き出し長さが、好ましい範囲である３０〜７０ｍｍの上限を超える試験Ｎｏ．３では、シールド性が△評価であった。また、フィルタなし以外は本発明の規定を満足する試験Ｎｏ．１４では、シールド性及びノズル内のスパッタ付着がともに△評価であった。
さらに、フィルタの材質については、１００メッシュのステンレス製フィルタを用いた試験Ｎｏ．１５では、ノズル内のスパッタ付着が△評価であったが、多孔質プラスチックフィルタを用いた試験Ｎｏ．１６、及び多孔質セラミックフィルタを用いた試験Ｎｏ．１７では、いずれの項目も良好な結果であった。
【００３７】
また、インナーノズルの内径が好ましい範囲である１５〜３０ｍｍの下限値を下回る試験Ｎｏ．７、及び好ましい範囲の上限値を超える試験Ｎｏ．９では、いずれもシールド性が△評価であった。また、アウターノズルの内径が好ましい範囲である３０〜６０ｍｍの下限値を下回る試験Ｎｏ．１３及び好ましい範囲の上限値を超える試験Ｎｏ．６では、いずれもシールド性が△評価であった。さらに、インナーノズルの内径とアウターノズルの内径との比が、本発明で規定する範囲（０．３０〜０．７５）から外れる試験Ｎｏ．１０、及び試験Ｎｏ．１１では、いずれもシールド性が△評価であった。
【００３８】
また、インナーシールドガス流量が、本発明で規定する範囲である１０〜３５Ｌ/ｍｉｎの下限値を下回る試験Ｎｏ．２３、及びインナーシールドガス流量の上限値を超える試験Ｎｏ．２９では、いずれもシールド性が△評価であった。また、アウターシールドガス流量が、本発明で規定する範囲である１０〜６５Ｌ/ｍｉｎの下限値を下回る試験Ｎｏ．３２、及び上限値を超える試験Ｎｏ．２７では、いずれもシールド性が△評価であった。
【００３９】
さらに、インナーシールドガス流量とアウターシールドガス流量との流量比が、０．２〜３．０の好ましい範囲を下回る試験Ｎｏ．２４、及び上限値を超える試験Ｎｏ．３１では、いずれもシールド性が△評価であった。
【００４０】
一方、いずれの溶接条件も本発明の範囲を満足する各試験Ｎｏ．１，Ｎｏ．２，Ｎｏ．４，Ｎｏ．５，Ｎｏ．８，Ｎｏ．１２，Ｎｏ．１６〜２２，Ｎｏ．２５，Ｎｏ．２６，Ｎｏ．２８，Ｎｏ．３０，Ｎｏ．３３，Ｎｏ．３４では、いずれも良好な結果であった。
【符号の説明】
【００４１】
１０    狭開先用溶接トーチ
１１    トーチ銃身
１４    コンタクトチップ
１５    ノズル
１６    インナーノズル
１７    アウターノズル
２５    スパッタ付着防止用フィルタ
３０    溶接ワイヤ
１００  溶接装置（狭開先溶接システム）
Ｄ      アウターノズルの内径
ｄ      インナーノズルの内径
Ｌ      コンタクトチップ突出距離
【図１】
2018086671.tif 000004
【図２】
2018086671.tif 000005
【図３】
2018086671.tif 000006